(57)【要約】【課題】複数のユーザにより共用される場合であっても、タッチパネルを用いた操作性の高いユーザインタフェースを備える複合機を提供する。【解決手段】複合機はタッチパネルにショートカット項目を表示し、ショートカット項目に対するタッチ操作を検知した場合に、このショートカット項目に対応付けられた特定機能の機能操作画面へタッチパネルの表示を遷移させる。複合機は、ショートカット項目と特定機能との対応に係る設定を、ユーザ毎の個別設定と、複数のユーザで共通の共通設定とに区別して受け付ける。複合機は、特定の切替操作を受け付けることによって、個別設定に係るショートカット項目が設けられた個別ショートカット画面と、共通設定に係るショートカット項目が設けられた共通ショートカット画面との表示切り替えを行う。【選択図】図１
2011123824.tif 000002
【特許請求の範囲】
【請求項１】
操作受付に係る一又は複数の項目を表示する表示面及び該表示面へのタッチ操作を検知する検知部を有するタッチパネルと、前記表示面に表示された項目へのタッチ操作の検知に応じて複数の機能に係る処理を行う処理部と、機器に対するユーザのログイン／ログアウトに係る処理を行う認証処理部とを備える複合機において、
特定機能の操作受付に係る一又は複数の項目が設けられた機能操作画面へ前記表示面の表示を遷移させるショートカット項目に対して、前記特定機能を対応付ける設定操作を、ユーザ毎の個別設定と複数のユーザで共通の共通設定とに区別して受け付ける設定受付部と、
前記表示面の表示内容を切り替える操作を受け付ける切替操作受付部と
一のユーザがログインしている場合に、前記切替操作受付部が受け付けた切替操作に応じて、前記ユーザの個別設定に係る一又は複数のショートカット項目が設けられた個別ショートカット画面と、共通設定に係る一又は複数のショートカット項目が設けられた共通ショートカット画面とを切り替えて表示する処理を行う切替表示処理部と
を備えること
を特徴とする複合機。
【請求項２】
ショートカット項目に既に対応付けられた特定機能と、対応付けられていない特定機能とを異なる表示態様で前記表示面に一覧表示する処理を行う設定画面表示処理部を更に備え、
前記設定受付部は、前記設定画面表示処理部が表示した特定機能へのタッチ操作に応じて、ショートカット項目に対応付ける特定機能の設定を受け付けるようにしてあること
を特徴とする請求項１に記載の複合機。
【請求項３】
前記認証処理部によるユーザのログイン処理が完了した後に、前記個別ショートカット画面、前記共通ショートカット画面又は他の画面のいずれを前記表示面に表示するかに係る設定操作を受け付ける表示設定受付部を更に備えること
を特徴とする請求項１又は請求項２に記載の複合機。
【発明の詳細な説明】
【技術分野】
【０００１】
本発明は、タッチパネルによりユーザの操作を受け付けて、プリント及びスキャン等の種々の処理を行う複合機に関する。
【背景技術】
【０００２】
従来、プリント機能、ファクシミリ機能、コピー機能及びスキャン機能等の複数の機能を備えた複合機が広く普及している。これらの複数の機能に対する操作を受け付けるために、複合機にはユーザインタフェースとしてタッチパネルを用いた操作部が設けられる場合が多い。しかし複合機に設けることができるタッチパネルのサイズには限度があり、複合機の全ての機能に関する操作項目を同時的にタッチパネルに表示することはできないという問題がある。この問題を解決するために、複合機の操作項目は階層化され、複合機が操作項目へのタッチ操作の受け付け及びタッチパネルに表示する操作項目の変更を上位階層から下位階層へ順に行う構成とされる。
【０００３】
しかし近年では、複合機は高機能化及び多機能化し、階層化した操作項目の階層数が増加しているため、所望の機能に対する操作項目を操作するまでに、上位階層から下位階層へ順に行わなければならないユーザのタッチ操作の回数が増加している。操作回数の増加によって、タッチパネルによる複合機の操作性が低下し、複合機を利用した作業の効率が低下する虞がある。このような複合機の高機能化及び多機能化に伴うタッチパネルの操作性の低下を抑制すべく、ユーザインタフェースに関する種々の改善策が検討されている。
【０００４】
特許文献１においては、ＧＵＩ（Graphical User Interface）を有するアプリケーションで利用されるコマンドショートカットボタンに対して、アプリケーションの使用に依存せずにコマンドを割り当てることができるカスタマイズ方法が提案されている。このカスタマイズ方法では、カスタマイズウインドウにてコマンドショートカットボタンの数、カスタマイズ対象のボタン選択、カスタマイズしたボタンの名称、コマンド実行内容及びオプションパラメータ等をユーザが設定する。
【０００５】
また特許文献２においては、登録機能ショートカットボタン及び設定機能ショートカットボタンの２種のショートカットボタンを操作画面に表示して操作を受け付ける画像形成装置が提案されている。この画像形成装置は、異なる種別のショートカットボタンの混同を防止するため、異なる種別のショートカットボタンの表示形態、優先表示順又は表示順方向を相違させて操作画面上に表示する。
【先行技術文献】
【特許文献】
【０００６】
【特許文献１】特開平７−３６６５１号公報
【特許文献２】特開２００８−１５１７６号公報
【発明の概要】
【発明が解決しようとする課題】
【０００７】
特許文献１及び特許文献２に記載のように、ショートカットボタンを用いたユーザインタフェースの操作性の改善策は、複合機のタッチパネルによる操作に対しても有効である。使用頻度の高い機能に対する操作をショートカットボタンに割り当て、ユーザがショートカットボタンを用いて操作を行うことによって、多くの場合でタッチパネルに対する操作回数を低減することができ、複合機での作業効率が向上する。
【０００８】
しかしながら、複合機はオフィスなどに設置されて多数のユーザに利用される場合が多く、ユーザ毎に使用頻度が高い機能と使用頻度が低い機能とが異なる。またタッチパネルに同時的に表示するショートカットボタンの数は、操作性の観点から数個〜十数個程度が適当であり、ショートカットボタンに割り当てることができる機能の数は限られている。このため、ショートカットボタンに対する機能の割当を、全てのユーザの要求を満たすように行うことは容易でない。
【０００９】
本発明は、斯かる事情に鑑みてなされたものであって、その目的とするところは、複数のユーザにより共用される場合であっても、タッチパネルを用いた操作性の高いユーザインタフェースを備える複合機を提供することにある。
【課題を解決するための手段】
【００１０】
本発明に係る複合機は、操作受付に係る一又は複数の項目を表示する表示面及び該表示面へのタッチ操作を検知する検知部を有するタッチパネルと、前記表示面に表示された項目へのタッチ操作の検知に応じて複数の機能に係る処理を行う処理部と、機器に対するユーザのログイン／ログアウトに係る処理を行う認証処理部とを備える複合機において、特定機能の操作受付に係る一又は複数の項目が設けられた機能操作画面へ前記表示面の表示を遷移させるショートカット項目に対して、前記特定機能を対応付ける設定操作を、ユーザ毎の個別設定と複数のユーザで共通の共通設定とに区別して受け付ける設定受付部と、前記表示面の表示内容を切り替える操作を受け付ける切替操作受付部と一のユーザがログインしている場合に、前記切替操作受付部が受け付けた切替操作に応じて、前記ユーザの個別設定に係る一又は複数のショートカット項目が設けられた個別ショートカット画面と、共通設定に係る一又は複数のショートカット項目が設けられた共通ショートカット画面とを切り替えて表示する処理を行う切替表示処理部とを備えることを特徴とする。
【００１１】
また、本発明に係る複合機は、ショートカット項目に既に対応付けられた特定機能と、対応付けられていない特定機能とを異なる表示態様で前記表示面に一覧表示する処理を行う設定画面表示処理部を更に備え、前記設定受付部は、前記設定画面表示処理部が表示した特定機能へのタッチ操作に応じて、ショートカット項目に対応付ける特定機能の設定を受け付けるようにしてあることを特徴とする。
【００１２】
また、本発明に係る複合機は、前記認証処理部によるユーザのログイン処理が完了した後に、前記個別ショートカット画面、前記共通ショートカット画面又は他の画面のいずれを前記表示面に表示するかに係る設定操作を受け付ける表示設定受付部を更に備えることを特徴とする。
【００１３】
本発明においては、複合機はタッチパネルの表示面にショートカット項目を表示し、ショートカット項目に対するタッチ操作を検知した場合に、このショートカット項目に対応付けられた特定機能の機能操作画面へタッチパネルの表示を遷移させる。機能操作画面には特定機能の詳細設定などの操作項目を設け、この操作項目に対するタッチ操作を検知することで、複合機は特定機能に係る処理を行うことができる。また複合機は、ショートカット項目と特定機能とを対応付ける設定操作を受け付け、ショートカット項目と特定機能との対応をユーザが設定可能な構成とする。これによりユーザは、予め設定を行っておくことにより、ショートカット項目に対するタッチ操作を行うのみで好みの特定機能の機能操作画面を表示させることができる。
また、複合機はユーザのログイン／ログアウトに係る処理を行い、複合機を使用するユーザを区別することが可能な構成とする。複合機は、ショートカット項目と特定機能との対応に係る設定を、ユーザ毎の個別設定と、複数のユーザで共通の共通設定とを区別して受け付ける。これにより、各ユーザは使用頻度が高い機能などを自らの好みに応じて個別設定としてショートカット項目に対応付けることができる。また複数のユーザで使用頻度が高い機能などは共通設定としてショートカット項目に対応付けることができる。複合機は、個別設定を認証処理に成功してログインしたユーザのみが行うことができる構成とすればよく、共通設定を全てのユーザ又は特定のユーザ（管理者など）が行うことができる構成とすればよい。
複合機は、特定の切替操作を受け付けることによって、個別設定に係るショートカット項目が設けられた個別ショートカット画面と、共通設定に係るショートカット項目が設けられた共通ショートカット画面との表示切り替えを行う。ただし複合機は、個別設定に係るユーザがログインしている場合のみ、個別ショートカット画面を表示し、ユーザ毎に異なる内容の個別ショートカット画面を表示する。これにより、ユーザは特定の切替操作を行うことによって、タッチパネルに表示するショートカット項目を容易に切り替えることができる。
よって、ユーザが個別設定及び共通設定を適切に行い、限られたショートカット項目を有効に活用することで、各ユーザの複合機の使用態様などに適した操作性のよいユーザインタフェースが実現される。
【００１４】
また、本発明においては、ショートカット項目及び特定機能の対応に係る設定を受け付ける際に、複合機はショートカット項目に対応付け可能な複数の特定機能をタッチパネルに一覧表示し、表示された特定機能へのタッチ操作に応じて対応の設定を受け付ける。特定項目の一覧表示の際に複合機は、既に他のショートカット項目に対応付けされている特定機能と、いずれのショートカット項目にも対応付けされていない特定機能とを異なる表示態様で表示する。これにより、同一の機能が複数のショートカット項目に重複して対応付けられることを防止でき、ユーザは限られたショートカット項目を有効に活用することができる。
【００１５】
また、本発明においては、ユーザのログイン処理が終了した後に、このユーザの個別設定に係る個別ショートカット画面、共通設定に係る共通ショートカット画面又はその他の画面のいずれかを、複合機はタッチパネルに表示する。これらのいずれの画面を表示するかを、ユーザが複合機に対して予め設定することを可能とし、複合機はユーザ毎の設定に応じた画面表示を行う。これにより複合機は、各ユーザの使用態様などに適した画面表示を行うことができ、タッチパネルによる複合機の操作性を向上することができる。
【発明の効果】
【００１６】
本発明による場合は、ユーザ毎の個別設定に係る個別ショートカット画面と、共通設定に係る共通ショートカット画面とをユーザの操作に応じて切り替える構成とすることによって、複合機を多数のユーザが共用する場合であっても、複合機の優れた操作環境をユーザに提供することができる。
【図面の簡単な説明】
【００１７】
【図１】本発明に係る複合機の構成を示すブロック図である。
【図２】ＭＦＰの操作部の外観を示す模式図である。
【図３】コピー機能の設定画面の表示例を示す模式図である。
【図４】共通ショートカット画面の表示例を示す模式図である。
【図５】個別ショートカット画面の表示例を示す模式図である。
【図６】ショートカットボタンの選択画面の表示例を示す模式図である。
【図７】ショートカット設定画面の表示例を示す模式図である。
【図８】ショートカットボタンの対応情報の一構成例を示す模式図である。
【図９】ＭＦＰが行う認証処理の手順を示すフローチャートである。
【図１０】ＭＦＰが行うショートカット画面の表示処理の手順を示すフローチャートである。
【図１１】ＭＦＰが行うショートカット画面の切替表示処理の手順を示すフローチャートである。
【図１２】ＭＦＰが行うショートカット処理の手順を示すフローチャートである。
【図１３】ＭＦＰが行うショートカットボタンの設定処理の手順を示すフローチャートである。
【図１４】ＭＦＰが行う初期画面の設定受付処理の手順を示すフローチャートである。
【図１５】変形例に係るＭＦＰによる個別ショートカット画面の表示例を示す模式図である。
【発明を実施するための形態】
【００１８】
以下、本発明をその実施の形態を示す図面に基づき具体的に説明する。図１は、本発明に係る複合機（以下、ＭＦＰ（MultiFunction Peripheral）という）の構成を示すブロック図である。図において１は、プリント機能、ファクシミリ機能、スキャン機能及びコピー機能等の複数の機能に係る処理を行うＭＦＰである。ＭＦＰ１のプリント機能とは、ＬＡＮ（Local Area Network）などのネットワークを介してＰＣ（Personal Computer）などの他の装置から与えられる画像データを印刷用紙に印刷する（画像形成する）機能である。ＭＦＰ１のファクシミリ機能とは、ＰＳＴＮ（Public Switched Telephone Network、公衆電話回線網）を介して他のＭＦＰ１又はファクシミリ装置等との間で画像データの送受信を行う機能である。ＭＦＰ１のスキャン機能とは、原稿の読み取りを行って画像データに変換する機能である。またＭＦＰ１のコピー機能とは、原稿の読み取り及び読み取った原稿の印刷を行う機能である。
【００１９】
ＭＦＰ１は、機器内の各部の制御処理及び種々の演算処理等に係る機能ブロックとして、処理部１０、ＲＯＭ（Read Only Memory）１１及びＲＡＭ（Random Access Memory）１２等を備えている。ＭＦＰ１は、通信に係る機能ブロックとして、ＮＣＵ（Network Control Unit）１３、モデム１４及びＬＡＮ通信部１５等を備えている。ＭＦＰ１は、原稿読取及び画像形成に係る機能ブロックとして、原稿読取部１６、画像メモリ１７及び画像形成部１８等を備えている。またＭＦＰ１は、ユーザインタフェースに係る機能ブロックとして、操作部３０を備えている。
【００２０】
処理部１０は、具体的にはＣＰＵ（Central Processing Unit）又はＭＰＵ（Micro Processing Unit）等の演算処理装置により構成されている。処理部１０は、ＲＯＭ１１に予め記憶されたプログラム及びデータを読み出して実行することにより、ＭＦＰ１の各部の制御処理及び種々の演算処理等を行い、種々のソフトウェア的機能を実現する。例えば処理部１０は、ソフトウェア的機能として、認証処理部１０１、設定受付部１０２、切替表示処理部１０３、設定画面表示処理部１０４及び表示設定受付部１０５等を実現する。
【００２１】
ＲＯＭ１１は、ＥＥＰＲＯＭ（Electrically Erasable Programmable ROM）又はフラッシュメモリ等のデータ書き換え可能な不揮発性メモリ素子により構成され、ＭＦＰ１の動作に必要な種々のソフトウェアプログラムが予め記憶されている。またＲＯＭ１１には、ＭＦＰ１を利用するユーザの認証処理に必要なユーザＩＤ（IDentifier）及びパスワード等の認証情報、並びに、ＭＦＰ１の各種設定情報等のデータが記憶される。ＲＡＭ１２は、処理部１０が各部の制御処理又は演算処理等を行う際に発生する一時的なデータを記憶するものであり、ＳＲＡＭ（Static RAM）又はＤＲＡＭ（Dynamic RAM）等のデータ書き換え可能なメモリ素子により構成される。
【００２２】
ＮＣＵ１３は、ＰＳＴＮとの回線の閉結及び開放の動作を行うハードウェアであり、ＰＳＴＮとモデム１４とのインタフェース回路を有している。モデム１４は、ＰＳＴＮを介して他のＭＦＰ１又はファクシミリ装置等とのファクシミリ通信を行うためのハードウェアである。モデム１４は、ファクシミリ通信によりデータの送信を行う場合には、原稿を読み取って得られた画像のデジタルデータをアナログの音声信号に変換して送信し、データの受信を行う場合には、ＰＳＴＮを介して受信したアナログの音声信号をデジタルデータの画像に変換する。
【００２３】
ＬＡＮ通信部１５は、社内ＬＡＮ又は家庭内ＬＡＮ等のネットワークを介して、ＰＣなどの他の装置との間でデータの送受信を行う。これによりＭＦＰ１は、ネットワークを介して与えられた画像データに係る画像形成処理を行うことができ、スキャン機能により読み取った画像データをＰＣのハードディスクなどにネットワークを介して直接的に保存する処理を行うことができる。またＭＦＰ１は、読み取った画像データを電子メールとして送信することもできる。
【００２４】
原稿読取部１６は、ＭＦＰ１のコピー機能、ファクシミリ機能及びスキャン機能等において、原稿の読取を行う。原稿読取部１６は、ＣＣＤ（Charge Coupled Device）イメージセンサを有する光学ユニットにて原稿の読み取りを行い、読み取りにより取得した画像データを画像メモリ１７に記憶する。また原稿読取部１６は、ＡＤＦ（Auto Document Feeder）を有しており、複数頁の原稿を自動的に読み取ることができる。
【００２５】
画像メモリ１７は、モデム１４及びＮＣＵ１３を介したファクシミリ通信により受信した画像データ、及び原稿読取部１６が読み取った画像データ等を一時的に記憶するものである。画像メモリ１７は、ＤＲＡＭ又はフラッシュメモリ等の大容量のメモリ素子で構成される。
【００２６】
画像形成部１８は、コピー機能、ファクシミリ機能及びプリント機能等において、印刷用紙への画像形成を行う。画像形成部１８は、半導体レーザ又はＬＥＤ（Light Emitting Diode）等の光源、トナーを付着させる感光体、及びトナーを熱又は圧力で印刷媒体へ転写して定着させる定着部等を有している。画像形成部１８は、画像メモリ１７に記憶された画像データを読み出して、Ａ３縦、Ｂ４縦、Ａ４縦、Ｂ５横及びＡ５横等の各サイズの印刷用紙から最適なサイズのものを選択して印刷を行う。
【００２７】
操作部３０は、ユーザとＭＦＰ１とのインタフェースをなすものであり、タッチパネル３１、ログインボタン３２、パーソナルモードボタン３３及びマイＭＦＰボタン３４等を備えている。また操作部３０のタッチパネル３１は、液晶ディスプレイなどで構成される表示面３１１と、この表示面３１１への接触（タッチ操作）を検知する検知部３１２とを有している。
【００２８】
タッチパネル３１の表示面３１１には、ＭＦＰ１の動作状態、ＭＦＰ１の機能をユーザが選択するためのメニュー、各機能の設定を行うためのメニュー、及び、操作案内又は警告メッセージ等のユーザへ通知する情報等を表示することができる。表示面３１１に表示する画像データは予めＲＯＭ１１に記憶されており、処理部１０がＲＯＭ１１から画像データを読み出してタッチパネル３１へ与えることにより表示処理が行われる。
【００２９】
タッチパネル３１の検知部３１２は、透明な抵抗膜が設けられた２枚のフィルムなどを対向配置して押圧力によるフィルム同士の接触を検知する抵抗膜方式、又は、ユーザの指が触れることによって生じる電界の変化を容量の変化として検出する静電容量結合方式等のように、既存の種々の接触検知技術を利用することができる。
【００３０】
操作部３０のログインボタン３２、パーソナルモードボタン３３及びマイＭＦＰボタン３４は、ユーザのプッシュ操作を受け付ける機械式のプッシュスイッチとして設けられている。また操作部３０には、ユーザの操作を受け付けるための種々のボタンが設けられている。
【００３１】
図２は、ＭＦＰ１の操作部３０の外観を示す模式図である。ＭＦＰ１の操作部３０は、ＭＦＰ１の筐体の上側正面などに配設され、平面視で略矩形をなしている。操作部３０の略中央にはタッチパネル３１が配設され、タッチパネル３１の左右側にそれぞれ複数のボタンが配設されている。
【００３２】
操作部３０において、タッチパネル３１の左側には、ＭＦＰ１の動作モードの切り替えに係る４つのボタンと、上述のマイＭＦＰ（MyMFP）ボタン３４とが並べて配されている。モード切替に係るボタンは、コピー（Copy）モードボタン４１、スキャン（Scan）モードボタン４２、ファクシミリ（Fax）モードボタン４３及びプリント（Print）モードボタン４４である。モード切替に係る４つのボタンは、それぞれＭＦＰ１のコピー機能、スキャン機能、ファクシミリ機能及びプリント機能に対応している。ユーザは、自らが利用する機能に応じていずれかのモード切り替えに係るボタンを操作することにより、ＭＦＰ１に所望の機能に係る動作を行わせることができる。モード切り替えに係るボタンに操作がなされた場合、ＭＦＰ１は、操作対象のボタンに応じた機能に係る設定画面をタッチパネル３１の表示面３１１に表示する。
【００３３】
図３は、コピー機能の設定画面の表示例を示す模式図である。図示のコピー機能の設定画面１１０は、ユーザによりコピーモードボタン４１が操作された場合に、タッチパネル３１の表示面３１１に表示される画面の一例である。コピー機能の設定画面１１０中には、その上側部分に、ＭＦＰ１の動作状態又はユーザへのメッセージ等を表示する表示領域１１１が設けられている。またコピー機能の設定画面１１０中には、表示領域１１１の左下側に、複数のボタン１１２が上下に並べて表示される。これらのボタン１１２がタッチ操作された場合、ＭＦＰ１は、操作対象のボタン１１２に対応付けられたコピー機能の詳細設定画面に、タッチパネル３１の表示面３１１の表示を切り替える。
【００３４】
またコピー機能の設定画面１１０中には、表示領域１１１の右下側に、印刷用紙のサイズ選択を行うための用紙サイズ決定領域１１３が設けられている。用紙サイズ決定領域１１３には、ＭＦＰ１の外観を模した絵図と、印刷用紙のサイズ選択を受け付けるための複数のボタン１１４とが適宜に配されている。これらのボタン１１４がタッチ操作された場合、ＭＦＰ１は、操作対象のボタン１１４に対応付けられたサイズの印刷用紙をトレイから取得して画像形成を行う。またオート（Auto）のボタン１１４がタッチ操作された場合、ＭＦＰ１は、印刷する原稿のサイズを自動的に取得し、原稿のサイズに適した印刷用紙を自動的に選択して画像形成を行う。用紙サイズ決定領域１１３に設けられた複数のボタン１１４は、選択された一のボタン１１４のみ白黒反転などの異なる表示形態（図３においては、ハッチングを付して表示形態の差異を表現してある）で表示される。
【００３５】
なお、コピー機能の設定画面１１０に設けられた複数のボタン１１２及び１１４は、タッチパネル３１を利用したソフトウェア的なボタンである。ＭＦＰ１は、矩形領域に文字を付すなどの態様でタッチパネル３１の表示面３１１にボタン１１２及び１１４を表示する。ＭＦＰ１は、検知部３１２にて表示面３１１へのタッチ操作が検知された場合、表示面３１１におけるタッチ操作の位置を取得し、いずれのボタン１１２又は１１４が操作されたかを判定する。
【００３６】
また、操作部３０において、タッチパネル３１の右側には、設定（Setting）ボタン４５、ログイン（Login）ボタン３２、パーソナルモード（PersonalMode）ボタン３３、ジョブ確認／ファクシミリキャンセル（JobConfirm/FaxCancel）ボタン４６及びリセット（Reset）ボタン４７が並べて設けられている。更にこれらのボタンの右側には、テンキー４８、スタートボタン４９、ストップボタン５０、割込ボタン５１及び電源ボタン５２等のボタンが適宜の位置に配されている。なお、ジョブ確認／ファクシミリキャンセルボタン４６、リセットボタン４７、テンキー４８、スタートボタン４９、ストップボタン５０、割込ボタン５１及び電源ボタン５２については、詳細な説明を省略する。
【００３７】
設定ボタン４５は、ＭＦＰ１の通信機能の設定及びユーザの登録に係る設定等の各種の設定を行う際にユーザが操作するためのボタンである。設定ボタン４５が操作された場合、ＭＦＰ１は、タッチパネル３１の表示面３１１に設定可能な項目を一覧にした設定画面を表示する。
【００３８】
ログインボタン３２は、ＭＦＰ１に対するユーザのログイン／ログアウトに係る処理を受け付けるボタンである。ＭＦＰ１は、ユーザがログインしなくてもコピー機能及びファクシミリ機能等を利用することができる構成であるが、ユーザがログインして使用することによって、利便性及びセキュリティ等に優れた利用環境をユーザに対して提供することができる。ＭＦＰ１は、登録されたユーザのＩＤ及びパスワード等をＲＯＭ１１に認証情報として記憶しており、この認証情報に基づいてログイン処理を行う。
【００３９】
例えばＭＦＰ１にユーザがログインしていない状態でログインボタン３２が操作された場合、ＭＦＰ１は、タッチパネル３１の表示面３１１に、ユーザのＩＤ及びパスワードを入力するためのログイン画面（図示は省略する）を表示する。ＭＦＰ１は、タッチパネル３１へのタッチ操作又はテンキー４８のプッシュ操作等によりＩＤ及びパスワードの入力を受け付け、認証情報を参照することによりログインの可否を決定する。またＭＦＰ１にユーザがログインしている状態でログインボタン３２が操作された場合、ＭＦＰ１は、ログイン中のユーザのログアウト処理を行う。これらのユーザ認証に係る処理は、ＭＦＰ１の処理部１０の認証処理部１０１により行われる。
【００４０】
ユーザのログインを許可した場合、ＭＦＰ１は、タッチパネル３１の表示面３１１に、予めユーザ毎に選択されて登録された画面を初期画面として表示する。ユーザは初期画面として、図３に示したコピー機能の設定画面１１０、図示しないスキャン機能の設定画面、ファクシミリ機能の設定画面、プリント機能の設定画面、後述の共通ショートカット画面（図４参照）又は個別ショートカット画面（図５参照）等を選択することができる。
【００４１】
初期画面の登録は、設定ボタン４５を操作することによってタッチパネル３１の表示面３１１に表示されるメニューを順に辿り、ユーザに係る情報の設定画面（図示は省略する）を表示することによって行うことができる。この設定画面において、ＭＦＰ１は、初期画面として選択可能な画面の名称を一覧表示し、いずれかの名称に対するタッチ操作を検知することによって、初期画面の選択を受け付け、認証情報と共にＲＯＭ１１へ記憶する。なお、ユーザがログインした際に表示する初期画面の設定の受け付けは、ＭＦＰ１の処理部１０の表示設定受付部１０５により行われる。
【００４２】
また、操作部３０のパーソナルモードボタン３３及びマイＭＦＰボタン３４は、タッチパネル３１の表示面３１１に、共通ショートカット画面又は個別ショートカット画面を表示させるためのボタンである。図４は、共通ショートカット画面の表示例を示す模式図であり、また、図５は、個別ショートカット画面の表示例を示す模式図である。
【００４３】
ＭＦＰ１において、ユーザは、例えばコピーモードボタン４１を操作して図３に示した設定画面１１０を表示させ、設定画面１１０のボタン１１２に対するタッチ操作を行うことで、コピー機能の詳細設定を行うことができる。このときユーザは、ボタン１１２へのタッチ操作に応じて表示面３１１に切り替えて表示されたメニュー画面などから、更に所望の設定項目が記載されたボタンに対するタッチ操作を行うなど、タッチ操作を繰り返して所望の設定項目に係る詳細設定の操作画面（機能操作画面）を表示させることができる。即ち、ユーザは、タッチ操作により階層的にメニューを辿ることによって、ＭＦＰ１の機能操作画面を表示面３１１に表示させることができる。
【００４４】
また、本実施の形態に係るＭＦＰ１は、ユーザがタッチ操作により階層的にメニューを辿ることなく、１回のタッチ操作で機能操作画面を直接的に表示させることができるショートカット機能を備えている。操作部３０に設けられたマイＭＦＰボタン３４は、ショートカット機能を利用するための画面表示をＭＦＰ１に対して行わせるためのボタンである。マイＭＦＰボタン３４に対する操作がなされた場合、ＭＦＰ１は、タッチパネル３１の表示面３１１に、共通ショートカット画面１２０又は個別ショートカット画面１４０を表示する。
【００４５】
図４に示した共通ショートカット画面１２０には、６つのショートカットボタン１２１〜１２６が設けられている。ユーザは、予め各ショートカットボタン１２１〜１２６に対して、ＭＦＰ１の好みの機能を対応付けておくことができる。ＭＦＰ１は、ショートカットボタン１２１〜１２６へのタッチ操作を受け付け、操作対象のショートカットボタン１２１〜１２６に対して予め設定された機能操作画面をタッチパネル３１の表示面３１１に表示する。
【００４６】
例えば図４において、ショートカットボタン１２１にはＵＳＢ（Universal Serial Bus）メモリに記憶された画像データなどをプリントする機能（USB Memory to Print）が設定されている。ショートカットボタン１２１へのタッチ操作がなされた場合、ＭＦＰ１は、ＵＳＢメモリに記憶された画像データを一覧表示したプリント対象の選択を受け付ける機能操作画面を表示することができる。
【００４７】
また例えば図４において、ショートカットボタン１２２にはスキャン機能により読み取った画像データをＵＳＢメモリへ記憶する機能（Scan to USB Memory）が設定されている。ショートカットボタン１２２へのタッチ操作がなされた場合、ＭＦＰ１は、ＵＳＢメモリの記憶先フォルダ及び記憶する画像データの形式等を設定するための機能操作画面を表示することができる。
【００４８】
同様に、ショートカットボタン１２３には、スキャン機能により読み取った画像データに所定の情報をタグとして付して記憶する機能（Scan Tag）が設定されている。ショートカットボタン１２４には、スキャン機能により読み取った画像データを、ＬＡＮ通信部１５により所定のＰＣのフォルダへ記憶する機能（Scan to PC Folder）が設定されている。ショートカットボタン１２５には、ＰＣからの印刷をパスワードの入力が行われるまで待機させるセキュリティプリント機能（Security Print）が設定されている。またショートカットボタン１２６には、ＭＦＰ１に登録されたファクシミリ通信の送付先など、各種の登録内容のリストを印刷する機能（List）が設定されている。ショートカットボタン１２３〜１２６へのタッチ操作がなされた場合、ＭＦＰ１は、各機能の詳細設定を行うための機能操作画面を表示する。
【００４９】
また、本実施の形態に係るＭＦＰ１において、ユーザは２種のショートカット画面を利用することができる。１つは上述の共通ショートカット画面１２０であり、もう１つは図５に示した個別ショートカット画面１４０である。個別ショートカット画面１４０は、画面構成及び使用方法等は共通ショートカット画面１２０と略同じである。ただし、共通ショートカット画面１２０には右上に「Shared」と記載されたアイコン１２８が表示され、個別ショートカット画面１４０には右上に「Personal」と記載されたアイコン１４８が表示されるため、ユーザは両ショートカット画面を区別できる。
【００５０】
また、ＭＦＰ１は、ユーザの認証処理に成功し、ユーザがログインしている状態でなければ、個別ショートカット画面１４０を表示しない。個別ショートカット画面１４０のショートカットボタン１４１〜１４６に対して設定される機能は、ユーザ毎にそれぞれ異なる。ＭＦＰ１は、操作部３０のパーソナルモードボタン３３をプッシュ操作する都度、共通ショートカット画面１２０と個別ショートカット画面１４０とを切り替えてタッチパネル３１の表示面３１１に表示する。パーソナルモードボタン３３の操作に応じた共通ショートカット画面１２０と個別ショートカット画面１４０との切替表示に係る処理は、ＭＦＰ１の処理部１０の切替表示処理部１０３により行われる。
【００５１】
またＭＦＰ１は、マイＭＦＰボタン３４がプッシュ操作された場合に、共通ショートカット画面１２０又は個別ショートカット画面１４０のいずれかをタッチパネル３１の表示面３１１に表示する。いずれのショートカット画面を表示するかは、例えばユーザが予め設定可能な構成としてもよく、また例えばユーザの使用履歴などの情報に基づいてＭＦＰ１が決定する構成としてもよい。
【００５２】
図５に示した個別ショートカット画面１４０には、６つのショートカットボタン１４１〜１４６が設けられている。ＭＦＰ１にログインしたユーザは、各ショートカットボタン１４１〜１４６に対して、ＭＦＰ１の好みの機能を対応付けておくことができる。
【００５３】
例えば図５において、ショートカットボタン１４１には、ログイン中のユーザによるファクシミリ通信の送信データを表示する機能（Tx Box）が設定されている。ショートカットボタン１４１へのタッチ操作がなされた場合、ＭＦＰ１は、ファクシミリ通信にて送信したデータの一覧を送信日時などの情報と共にタッチパネル３１の表示面３１１に表示する。
【００５４】
同様に、ショートカットボタン１４２には、ＭＦＰ１のプリント機能（Print）が設定されている。ショートカットボタン１４３には、ＭＦＰ１が処理完了の際に出力する音声などの設定を行う機能（Sound Settings）が設定されている。ショートカットボタン１４４には、ログイン中のユーザ宛に受信したファクシミリ通信の受信データを表示する機能（Rx Box）が設定されている。ショートカットボタン１４５には、全ユーザで共通のファクシミリ通信にて送受信したデータを表示する機能（Shared Box）が設定されている。またショートカットボタン１４６には、ＭＦＰ１が画像形成を行う際に用いる印刷用紙に係る設定を行う機能（Paper Settings）が設定されている。
【００５５】
共通ショートカット画面１２０及び個別ショートカット画面１４０のショートカットボタン１２１〜１２６及び１４１〜１４６に対応付ける機能の設定は、ユーザが略同じ方法で行うことができる。ただし、個別ショートカット画面１４０のショートカットボタン１４１〜１４６に対する設定は、ユーザが認証処理に成功してログインした後でなければ行うことはできない。
【００５６】
ＭＦＰ１を利用するユーザは、共通ショートカット画面１２０の左下に設けられた追加編集（Add/Edit）ボタン１２７に対するタッチ操作を行うことで、ショートカットボタン１２１〜１２６に対応付ける機能の設定を行うことができる。同様に、ユーザは、個別ショートカット画面１４０の左下に設けられた追加編集ボタン１４７に対するタッチ操作を行うことで、ショートカットボタン１４１〜１４６に対応付ける機能の設定を行うことができる。なお、以下においては、共通ショートカット画面１２０のショートカットボタン１２１〜１２６に係る設定を行う場合について説明し、個別ショートカット画面１４０については同様の設定方法であるため説明を省略する。
【００５７】
図６は、ショートカットボタンの選択画面の表示例を示す模式図である。共通ショートカット画面１２０の追加編集ボタン１２７に対するタッチ操作がなされた場合、ＭＦＰ１は、図示のショートカットボタン選択画面１６０をタッチパネル３１の表示面３１１に表示する。ショートカットボタン選択画面１６０には、１〜６の番号が付された横長の６つの選択ボタン１６１〜１６６が上下に並べて設けられ、選択ボタン１６１〜１６６の右上にはクローズ（Close）ボタン１６７が設けられている。
【００５８】
ショートカットボタン選択画面１６０の６つの選択ボタン１６１〜１６６は、共通ショートカット画面１２０の６つのショートカットボタン１２１〜１２６にそれぞれ対応している。ＭＦＰ１は、各選択ボタン１６１〜１６６について、対応するショートカットボタン１２１〜１２６に設定済みの機能の名称を１〜６の番号の後にそれぞれ表示する。ユーザは、いずれかの選択ボタン１６１〜１６６に対するタッチ操作を行うことによって、設定対象のショートカットボタン１２１〜１２６の選択を行うことができる。また設定操作を中止する場合には、ユーザはクローズボタン１６７に対するタッチ操作を行うことで、タッチパネル３１の表示面３１１の表示を共通ショートカット画面１２０へ戻すことができる。
【００５９】
いずれかの選択ボタン１６１〜１６６に対するタッチ操作がなされた場合、ＭＦＰ１は、選択されたショートカットボタン１２１〜１２６に対応付ける機能の設定を行うためのショートカット設定画面をタッチパネル３１の表示面３１１に表示する。図７は、ショートカット設定画面の表示例を示す模式図である。図示のショートカット設定画面１７０は、図６に示すショートカットボタン選択画面１６０にて選択ボタン１６２に対するタッチ操作がなされ、ショートカットボタン１２２が選択された場合のものである。
【００６０】
ショートカット設定画面１７０には、略矩形をなす複数の機能選択ボタン１７１がマトリクス状に配設されている。各機能選択ボタン１７１には、ショートカットボタン１２２に対応付けることができるＭＦＰ１の機能の名称がそれぞれ記されている。現時点で既にショートカットボタン１２２に対応付けられている機能（Scan to USB Memory）に係る機能選択ボタン１８１は、他の機能選択ボタン１７１とは異なる表示形態（例えば表示色を変更するなど）で表示される。また、現時点で既に他のショートカットボタン１２１、１２３〜１２６に対応付けられている機能（Scan to PC Folder）に係る機能選択ボタン１８２は、他の機能選択ボタン１７１及び１８１とは異なる表示形態で表示される。なお図７においては、機能選択ボタン１７１、１８１及び１８２の表示形態の差異を、ハッチングの有無及びハッチングの種別により表現してある。また、機能選択ボタン１７１の表示に係る処理は、ＭＦＰ１の処理部１０の設定画面表示処理部１０４により行われる。
【００６１】
また、ショートカット設定画面１７０には、２つのページ切替ボタン１７２が設けられている。ＭＦＰ１は、ショートカットボタン１２２に対応付けることができる機能が多く、全機能分の機能選択ボタン１７１がタッチパネル３１の表示面３１１に収まらない場合、複数のページに分けて機能選択ボタン１７１の表示を行う。ページ切替ボタン１７２に対するタッチ操作がなされた場合、ＭＦＰ１は、表示面３１１に表示するページの切り替え、即ち表示面３１１に表示する機能選択ボタン１７１の切り替えを行う。
【００６２】
ユーザは、ショートカット設定画面１７０に表示されたいずれかの機能選択ボタン１７１に対するタッチ操作を行うことにより、ショートカットボタン１２２に対応付ける機能の設定を行うことができる。機能選択ボタン１７１に対するタッチ操作がなされた場合、ＭＦＰ１は、操作対象の機能選択ボタン１７１の表示形態を、選択状態を示す表示形態に変更する。同時に、ＭＦＰ１は、以前に選択されていた機能選択ボタン１８１の表示形態を、未選択状態を示す表示形態に変更する。
【００６３】
ショートカット設定画面１７０には、エンター（Enter）ボタン１７３及びバック（Back）ボタン１７４が設けられている。エンターボタン１７３に対するタッチ操作がなされた場合、ＭＦＰ１は、ショートカット設定画面１７０にて選択された機能選択ボタン１７１に係る機能を、ショートカットボタン１２２に対応付ける処理を行う。バックボタン１７４に対するタッチ操作がなされた場合、ＭＦＰ１は、ショートカットボタン１２２及び機能の対応付けを変更することなく、タッチパネル３１の表示面３１１の表示をショートカットボタン選択画面１６０に戻す。なお、ショートカット設定画面１７０に対するタッチ操作に応じて、ショートカットボタン１２２とＭＦＰ１の機能とを対応付ける処理は、ＭＦＰ１の処理部１０の設定受付部１０２にて行われる。
【００６４】
共通ショートカット画面１２０のショートカットボタン１２１〜１２６及び個別ショートカット画面１４０のショートカットボタン１４１〜１４６とＭＦＰ１の機能との対応付けは、対応情報としてＭＦＰ１のＲＯＭ１１に記憶される。図８は、ショートカットボタンの対応情報の一構成例を示す模式図である。ＲＯＭ１１に記憶されるショートカットボタンの対応情報には、ユーザＩＤ、初期画面、ボタン番号及び機能の情報が含まれている。
【００６５】
ユーザＩＤは、ＭＦＰ１を利用するユーザを識別するための情報であり、ＭＦＰ１へのログインを行う際にユーザが入力する情報である。図示の例では、例えば”USER001”及び”USER002”のユーザＩＤが登録されている。なお、ユーザＩＤが”全ユーザ”の箇所は共通ショートカット画面１２０のショートカットボタン１２１〜１２６に関する設定であり、これ以外の箇所は個別ショートカット画面１４０のショートカットボタン１４１〜１４６に関する設定である。
【００６６】
上述のように、各ユーザはログイン後にタッチパネル３１の表示面３１１に表示させる画面の設定を行うことができ、この設定は対応情報の初期画面として登録されている。図示の例においてＭＦＰ１は、”USER001”がログインした場合にＭＦＰ１は個別ショートカット画面１４０を表示し、”USER002”がログインした場合にＭＦＰ１は共通ショートカット画面１２０を表示する。また”全ユーザ”に関する初期画面の設定は、いずれのユーザもＭＦＰ１に対してログインしていない状態で、ＭＦＰ１が表示面３１１に表示する画面の設定である。
【００６７】
また対応情報には、ユーザ毎に、６つのショートカットボタン（図８のボタン番号１〜６）に対応するＭＦＰ１の機能が登録されている。ＭＦＰ１は、共通ショートカット画面１２０又は個別ショートカット画面１４０を表示する際に、対応情報の登録内容に応じてショートカットボタン１２１〜１２６又は１４１〜１４６の表示を行う。またＭＦＰ１は、ショートカット設定画面１７０にてエンターボタン１７３がタッチ操作され、ショートカットボタン１２１〜１２６又は１４１〜１４６に対応付ける機能の設定を受け付けた場合、対応情報の登録内容を更新する。
【００６８】
以下、フローチャートによりＭＦＰ１が行う処理を説明する。図９は、ＭＦＰ１が行う認証処理の手順を示すフローチャートであり、ＭＦＰ１の処理部１０の認証処理部１０１が行う処理である。認証処理において、まずＭＦＰ１は、操作部３０のログインボタン３２が操作されたか否かを判定し（ステップＳ１）、操作されていない場合には（Ｓ１：ＮＯ）、ログインボタン３２が操作されるまで待機する。
【００６９】
ログインボタン３２が操作された場合（Ｓ１：ＹＥＳ）、ＭＦＰ１は、操作がなされる以前にユーザがログイン中であったか否かを判定する（ステップＳ２）。ユーザがログイン中であった場合（Ｓ２：ＹＥＳ）、ＭＦＰ１は、このユーザのログアウト処理を行って（ステップＳ３）、ＲＯＭ１１に記憶した対応情報の”全ユーザ”に登録された初期画面をタッチパネル３１の表示面３１１に表示して（ステップＳ４）、処理を終了する。
【００７０】
ユーザがログイン中でなかった場合（Ｓ２：ＮＯ）、ＭＦＰ１は、タッチパネル３１の表示面３１１に、ユーザＩＤ及びパスワード等の情報の入力を受け付けるための認証情報入力画面を表示する（ステップＳ５）。次いで、ＭＦＰ１は、認証情報入力画面に対する情報の入力が完了したか否かを判定し（ステップＳ６）、入力が完了していない場合には（Ｓ６：ＮＯ）、ステップＳ５へ処理を戻す。入力が完了した場合（Ｓ６：ＹＥＳ）、ＭＦＰ１は、ＲＯＭ１１から認証情報を読み出して（ステップＳ７）、入力された情報と読み出した認証情報とが一致するか否かに応じて、認証が成功したか否かを判定する（ステップＳ８）。認証に失敗した場合（Ｓ８：ＮＯ）、ＭＦＰ１は、ステップＳ５へ処理を戻し、正しい情報の入力を促す。認証に成功した場合（Ｓ８：ＹＥＳ）、ＭＦＰ１は、入力された情報に係るユーザをログインさせ、このユーザに対して設定された初期画面をタッチパネル３１の表示面３１１に表示し（ステップＳ９）、処理を終了する。
【００７１】
図１０は、ＭＦＰ１が行うショートカット画面の表示処理の手順を示すフローチャートであり、ＭＦＰ１の処理部１０が行う処理である。まずＭＦＰ１は、操作部３０のマイＭＦＰボタン３４が操作されたか否かを判定し（ステップＳ２１）、操作されていない場合には（Ｓ２１：ＮＯ）、マイＭＦＰボタン３４が操作されるまで待機する。
【００７２】
マイＭＦＰボタン３４が操作された場合（Ｓ２１：ＹＥＳ）、ＭＦＰ１は、ＲＯＭ１１からショートカットボタンの対応情報を読み出す（ステップＳ２２）。次いでＭＦＰ１は、ユーザがログイン中であるか否かを判定する（ステップＳ２３）。ユーザがログイン中でない場合（Ｓ２３：ＮＯ）、ＭＦＰ１は、対応情報に登録された”全ユーザ”に係る設定内容に基づいて、タッチパネル３１の表示面３１１に共通ショートカット画面１２０を表示し（ステップＳ２４）、処理を終了する。またユーザがログイン中の場合（Ｓ２３：ＹＥＳ）、ＭＦＰ１は、対応情報に登録されたログイン中のユーザに係る設定内容に基づいて、タッチパネル３１の表示面３１１に個別ショートカット画面１４０を表示し（ステップＳ２５）、処理を終了する。
【００７３】
図１１は、ＭＦＰ１が行うショートカット画面の切替表示処理の手順を示すフローチャートであり、ＭＦＰ１の処理部１０の切替表示処理部１０３が行う処理である。まずＭＦＰ１は、操作部３０のパーソナルモードボタン３３が操作されたか否かを判定し（ステップＳ３１）、操作されていない場合には（Ｓ３１：ＮＯ）、パーソナルモードボタン３３が操作されるまで待機する。パーソナルモードボタン３３が操作された場合（Ｓ３１：ＹＥＳ）、ＭＦＰ１は、ユーザがログイン中であるか否かを更に判定する（ステップＳ３２）。
【００７４】
ユーザがログイン中でない場合（Ｓ３２：ＮＯ）、ＭＦＰ１は、処理を終了する。ユーザがログイン中の場合（Ｓ３２：ＹＥＳ）、ＭＦＰ１は、タッチパネル３１の表示面３１１に個別ショートカット画面１２０を表示中であるか否かを更に判定する（ステップＳ３３）。個別ショートカット画面１２０が表示されていない場合（Ｓ３３：ＮＯ）、ＭＦＰ１は、タッチパネル３１の表示面３１１に個別ショートカット画面１２０を表示し（ステップＳ３４）、処理を終了する。個別ショートカット画面１２０が表示されている場合（Ｓ３３：ＹＥＳ）、ＭＦＰ１は、タッチパネル３１の表示面３１１に共通ショートカット画面１４０を表示して（ステップＳ３５）、処理を終了する。
【００７５】
図１２は、ＭＦＰ１が行うショートカット処理の手順を示すフローチャートである。なお、本処理はＭＦＰ１の処理部１０が行う処理であり、共通ショートカット画面１２０又は個別ショートカット画面１４０をタッチパネル３１の表示面３１１に表示した後の処理である。ＭＦＰ１は、共通ショートカット画面１２０又は個別ショートカット画面１４０のショートカットボタン１２１〜１２６又は１４１〜１４６に対するタッチ操作がなされたか否かを判定する（ステップＳ４１）。タッチ操作がなされていない場合（Ｓ４１：ＮＯ）、ＭＦＰ１は、ショートカットボタン１２１〜１２６又は１４１〜１４６に対するタッチ操作がなされるまで待機する。
【００７６】
ショートカットボタン１２１〜１２６又は１４１〜１４６に対するタッチ操作がなされた場合（Ｓ４１：ＹＥＳ）、ＭＦＰ１は、ＲＯＭ１１からショートカットボタンの対応情報を読み出す（ステップＳ４２）。次いでＭＦＰ１は、読み出した対応情報に基づいて、タッチ操作されたショートカットボタン１２１〜１２６又は１４１〜１４６に対応する機能の操作画面を、タッチパネル３１の表示面３１１に表示して（ステップＳ４３）、処理を終了する。
【００７７】
図１３は、ＭＦＰ１が行うショートカットボタンの設定処理の手順を示すフローチャートである。なお本処理は、ＭＦＰ１の処理部１０の設定受付部１０２及び設定画面表示処理部１０４が行う処理である。まずＭＦＰ１は、共通ショートカット画面１２０又は個別ショートカット画面１４０の追加編集ボタン１２７又は１４７に対するタッチ操作がなされたか否かを判定する（ステップＳ５１）。タッチ操作がなされていない場合（Ｓ５１：ＮＯ）、ＭＦＰ１は、追加編集ボタン１２７又は１４７に対するタッチ操作がなされるまで待機する。
【００７８】
追加編集ボタン１２７又は１４７に対するタッチ操作がなされた場合（Ｓ５１：ＹＥＳ）、ＭＦＰ１は、タッチパネル３１の表示面３１１に、ショートカットボタン選択画面１６０を表示する（ステップＳ５２）。次いでＭＦＰ１は、ショートカットボタン選択画面１６０のクローズボタン１６７に対するタッチ操作がなされたか否かを判定する（ステップＳ５３）。クローズボタン１６７に対するタッチ操作がなされた場合（Ｓ５３：ＹＥＳ）、ＭＦＰ１は、追加編集ボタン１２７又は１４７に対する操作がなされた元のショートカット画面を表示して（ステップＳ５９）、処理を終了する。
【００７９】
クローズボタン１６７に対するタッチ操作がなされていない場合（Ｓ５３：ＮＯ）、ＭＦＰ１は、ショートカットボタン選択画面１６０の選択ボタン１６１〜１６６に対するタッチ操作がなされたか否かを更に判定する（ステップＳ５４）。選択ボタン１６１〜１６６に対するタッチ操作がなされていない場合（Ｓ５４：ＮＯ）、ＭＦＰ１は、ステップＳ５２へ処理を戻し、クローズボタン１６７又は選択ボタン１６１〜１６６に対するタッチ操作がなされるまで待機する。
【００８０】
ショートカットボタン選択画面１６０の選択ボタン１６１〜１６６に対するタッチ操作がなされた場合（Ｓ５４：ＹＥＳ）、ＭＦＰ１は、タッチパネル３１の表示面３１１にショートカット設定画面１７０を表示する処理を行う（ステップＳ５５）。なおステップＳ５５において、ＭＦＰ１は、機能選択ボタン１７１に対するタッチ操作に応じて表示形態を変更する処理、及び、ページ切替ボタン１７２に対するタッチ操作に応じてページの表示を切り替える処理等を行う。
【００８１】
またＭＦＰ１は、ショートカット設定画面１７０のバックボタン１７４に対するタッチ操作がなされたか否かを判定し（ステップＳ５６）、タッチ操作がなされた場合には（Ｓ５６：ＹＥＳ）、ステップＳ５２へ処理を戻す。バックボタン１７４に対するタッチ操作がなされていない場合（Ｓ５６：ＮＯ）、ＭＦＰ１は、ショートカット設定画面１７０のエンターボタン１７３に対するタッチ操作がなされたか否かを更に判定する（ステップＳ５７）。エンターボタン１７３に対するタッチ操作がなされていない場合（Ｓ５７：ＮＯ）、ＭＦＰ１は、ステップＳ５５へ処理を戻す。
【００８２】
エンターボタン１７３に対するタッチ操作がなされた場合（Ｓ５７：ＹＥＳ）、ＭＦＰ１は、ショートカット設定画面１７０の機能選択ボタン１７１に対するタッチ操作により選択された機能をショートカットボタン１２１〜１２２又は１４１〜１４６に対応付けるべく、対応情報の更新を行う（ステップＳ５８）。その後、ＭＦＰ１は、追加編集ボタン１２７又は１４７に対する操作がなされた元のショートカット画面の表示を、更新した対応情報に基づいて行い（ステップＳ５９）、処理を終了する。
【００８３】
図１４は、ＭＦＰ１が行う初期画面の設定受付処理の手順を示すフローチャートであり、ＭＦＰ１の処理部１０の表示設定受付部１０５が行う処理である。例えばＭＦＰ１において、初期画面の設定は、操作部３０の設定ボタン４５の操作に応じてタッチパネル３１の表示面３１１に表示される設定メニューから初期画面設定の項目を選択することで行うことができる。ＭＦＰ１は、設定メニューから初期画面設定の項目が選択されたか否かを判定し（ステップＳ７１）、初期画面設定の項目が選択されていない場合には（Ｓ７１：ＮＯ）、初期画面設定の項目が選択されるまで待機する。
【００８４】
初期画面設定の項目が選択された場合（Ｓ７１：ＹＥＳ）、ＭＦＰ１は、ユーザ毎に個別に設定可能な初期画面の設定か、又は、全ユーザに共通の初期画面の設定かに係る選択を受け付ける画面をタッチパネル３１の表示面３１１に表示する。この画面に対するタッチ操作に応じて、ＭＦＰ１は、ユーザ毎の初期画面の設定が選択されたか否かを判定する（ステップＳ７２）。ユーザ毎の初期画面の設定が選択されていない場合（Ｓ７２：ＮＯ）、ＭＦＰ１は、ステップＳ７５へ処理を進める。
【００８５】
ユーザ毎の初期画面の設定が選択された場合（Ｓ７２：ＹＥＳ）、ＭＦＰ１は、既にユーザがログイン中であるか否かを更に判定する（ステップＳ７３）。ユーザがログイン中の場合（Ｓ７３：ＹＥＳ）、ＭＦＰ１は、ステップＳ７５へ処理を進める。ユーザがログイン中でない場合（Ｓ７３：ＮＯ）、ＭＦＰ１は、表示面３１１への認証情報入力画面の表示、ユーザからの情報入力の受け付け、認証情報及び入力情報の一致／不一致の判定等の認証処理を行う（ステップＳ７４）。ステップＳ７４にて行う認証処理は、図９に示したフローチャートのステップＳ５〜Ｓ８にて行う処理と同様であるため、詳細な説明は省略する。認証情報に成功した場合、ＭＦＰ１は、ステップＳ７５へ処理を進める。
【００８６】
次いでＭＦＰ１は、タッチパネル３１の表示面３１１に、初期画面の設定を受け付ける設定画面を表示する（ステップＳ７５）。この設定画面は、例えば初期画面として設定可能な画面（コピー機能の設定画面１１０、共通ショートカット画面１２０及び個別ショートカット画面１４０等）の名称を一覧表示し、表示されたいずれかの名称に対するタッチ操作に応じて初期画面の選択を受け付ける構成とすることができる。ＭＦＰ１は、設定画面に対するタッチ操作により、初期画面の選択入力が完了したか否かを判定し（ステップＳ７６）、完了していない場合には（Ｓ７６：ＮＯ）、ステップＳ７５へ処理を戻し、選択入力が完了するまで待機する。
【００８７】
初期画面の選択入力が完了した場合（Ｓ７６：ＹＥＳ）、ＭＦＰ１は、選択された初期画面に応じて、ＲＯＭ１１に記憶した対応情報を更新し（ステップＳ７７）、更新した対応情報に基づく初期画面をタッチパネル３１の表示面３１１に表示して（ステップＳ７８）、処理を終了する。
【００８８】
以上の構成のＭＦＰ１においては、タッチパネル３１の表示面３１１に表示したショートカットボタン１２１〜１２６、１４１〜１４６に対するタッチ操作を検知した場合に、対応付けられたＭＦＰ１の特定機能の操作画面へ表示面３１１の表示を遷移させる。遷移後の操作画面では特定機能の詳細設定などに係るメニュー又はボタン等の操作項目を設け、この操作項目に対するタッチ操作を検知することでＭＦＰ１は特定機能に係る処理を行う。またＭＦＰ１は、ショートカットボタン１２１〜１２６、１４１〜１４６とＭＦＰ１の機能との対応付けに係る設定をユーザから受け付けて対応情報としてＲＯＭ１１に記憶する。これらの構成により、ユーザはショートカットボタン１２１〜１２６、１４１〜１４６に対して好みの機能を設定し、ショートカットボタン１２１〜１２６、１４１〜１４６に対するタッチ操作を行うのみでＭＦＰ１の特定機能の操作画面を表示させることができる。
【００８９】
またＭＦＰ１は、ユーザのログイン／ログアウトに係る認証処理を行う構成とすることで、ＭＦＰ１を使用するユーザを区別することができる。よって、ショートカットボタン１２１〜１２６、１４１〜１４６に対応付けるＭＦＰ１の機能の設定は、ユーザ毎の個別設定と、複数のユーザで共通の共通設定とに区別して、ＭＦＰ１が受け付けることができる。これにより、各ユーザは自らの使用頻度が高い機能などを自らの好みに応じて個別設定としてショートカットボタン１２１〜１２６、１４１〜１４６に対応付けることができる。また複数のユーザで使用頻度が高い機能などは共通設定としてショートカットボタン１２１〜１２６、１４１〜１４６に対応付けることができる。
【００９０】
またＭＦＰ１は、個別設定に係るショートカットボタン１４１〜１４６が設けられた個別ショートカット画面１４０と、共通設定に係るショートカットボタン１２１〜１２６が設けられた共通ショートカット画面１２０とを切り替えて表示する。操作部３０に設けられたパーソナルモードボタン３３に対する操作に応じて、ＭＦＰ１は個別ショートカット画面１４０と共通ショートカット画面１２０との切替表示を行う。これにより、ユーザはパーソナルモードボタン３３に対する操作を行うのみで、タッチパネル３１の表示面３１１に表示するショートカット画面を容易に切り替えることができる。なおＭＦＰ１は、いずれのユーザもログインしていない場合に個別ショートカット画面１４０の表示は行わない。またＭＦＰ１は、ＲＯＭ１１に記憶した対応情報に基づき、ログインしているユーザ毎に異なる内容の個別ショートカット画面１４０を表示する。よって、ユーザが個別設定及び共通設定を適切に行い、ショートカットボタン１２１〜１２６、１４１〜１４６を有効活用することにより、本発明はユーザ毎のＭＦＰ１の使用態様などに適した操作性のよいユーザインタフェースを実現することができる。
【００９１】
また、ＭＦＰ１は、ショートカットボタン１２１〜１２６、１４１〜１４６とＭＦＰ１の機能との対応に係る設定を受け付ける際に、ショートカット設定画面１７０をタッチパネル３１の表示面３１１に表示する。ＭＦＰ１は、ショートカットボタン１２１〜１２６、１４１〜１４６に対応付け可能な機能の一覧を、機能選択ボタン１７１としてショートカット設定画面１７０に表示し、機能選択ボタン１７１へのタッチ操作に応じて設定の受け付けを行う。この際に、ＭＦＰ１は、既に他のショートカットボタン１２１〜１２６、１４１〜１４６に対応付けされた機能に係る機能選択ボタン１７１と、対応付けされていない機能に係る機能選択ボタン１７１とを異なる表示態様で表示する。これにより、同一の機能が複数のショートカットボタン１２１〜１２６、１４１〜１４６に重複して対応付けられることを防止できる。
【００９２】
また、ＭＦＰ１は、ユーザのログイン処理が終了した後に、共通設定に係る共通ショートカット画面１２０、ログインしたユーザの個別設定に係る個別ショートカット画面１４０又はコピー機能の設定画面１１０などの他の画面を、タッチパネル３１の表示面３１１に表示する。ＭＦＰ１は、初期画面としていずれの画面を表示するかに係る設定をユーザから受け付けることができ、ユーザ毎に受け付けた設定をＲＯＭ１１の対応情報に記憶する。これによりＭＦＰ１は、各ユーザの使用態様などに適した画面表示を行うことができ、タッチパネル３１によるＭＦＰ１の操作性を向上することができる。
【００９３】
なお、本実施の形態においては、ＭＦＰ１はプリント機能、ファクシミリ機能、スキャン機能及びコピー機能を有する装置としたが、これに限るものではなく、これらの機能のいずれかを有していない装置であってもよく、更に別の機能を有した装置であってもよい。またＭＦＰ１は、ログインボタン３２、パーソナルモードボタン３３及びマイＭＦＰボタン３４等を機械式のプッシュスイッチとして操作部３０に設ける構成としたが、これに限るものではなく、タッチパネル３１を利用したソフトウェア的なボタンとして設ける構成としてもよい。また、図２に示したＭＦＰ１の操作部３０の構成は、一例であって、これに限るものではない。また、図３〜図７に示した画面構成は、一例であって、これに限るものではない。
【００９４】
（変形例）
上述の実施の形態においては、共通ショートカット画面１２０及び個別ショートカット画面１４０にそれぞれ６つのショートカットボタン１２１〜１２６及び１４１〜１４６を設ける構成としたが、これに限るものではない。ショートカットボタンの個数は５つ以下又は７つ以上であってもよく、更にはユーザの好みに応じて任意の数のショートカットボタンを設けることができる構成としてもよい。
【００９５】
図１５は、変形例に係るＭＦＰ１による個別ショートカット画面１４０の表示例を示す模式図である。変形例に係るＭＦＰ１は、個別ショートカット画面１４０に任意の数（ただし上限を設けてもよい）のショートカットボタン１４１、１４２…を設けることができる構成である。変形例に係るＭＦＰ１の個別ショートカット画面１４０は、６つのショートカットボタン１４１〜１４６が２行×３列のマトリクス状に配されている点で、図５に示した個別ショートカット画面１４０と同じ構成である。ただし、変形例の個別ショートカット画面１４０は、６つのショートカットボタン１４１〜１４６の右側にスライドバー１４９が設けられている点で、図５に示した個別ショートカット画面１４０の構成と異なる。
【００９６】
変形例のＭＦＰ１は、個別ショートカット画面１４０において、タッチパネル３１の表示面３１１にショートカットボタン１４１、１４２…を同時的に６つ表示することができる。またＭＦＰ１は、スライドバー１４９に対するユーザのタッチ操作に応じて、ショートカットボタン１４１、１４２…を上下方向に一行ずつスライド表示することで、別のショートカットボタン１４１、１４２…を表示面３１１に表示する。なお、図示は省略するが、変形例のＭＦＰ１は、ショートカットボタン選択画面１６０についても同様に、スライドバーへのタッチ操作に応じて選択ボタン１６１、１６２…を上下方向にスライド表示する。
【００９７】
このように、個別ショートカット画面１４０に７つ以上（又は任意の数）のショートカットボタン１４１、１４２…を設けることを可能とすることにより、ユーザはより多くの機能をショートカットボタン１４１、１４２…に対応付けてＭＦＰ１を利用することができる。なお、本変形例では、個別ショートカット画面１４０にスライドバー１４９を設ける構成としたが、これに限るものではない。例えば、７つ以上のショートカットボタン１４１、１４２…を利用する場合、ＭＦＰ１は、各ショートカットボタン１４１、１４２…のサイズを小さくして表示面３１１内に収まるように表示してもよい。また、共通ショートカット画面１２０についても同様の構成を適用することができる。
【符号の説明】
【００９８】
１  ＭＦＰ（複合機）
１０  処理部
１１  ＲＯＭ
３０  操作部
３１  タッチパネル
３２  ログインボタン
３３  パーソナルモードボタン（切替操作受付部）
３４  マイＭＦＰボタン
１０１  認証処理部
１０２  設定受付部
１０３  切替表示処理部
１０４  設定画面表示処理部
１０５  表示設定受付部
１１０  コピー機能の設定画面（機能操作画面）
１１２、１１４  ボタン（項目）
１２０  共通ショートカット画面
１２１〜１２６  ショートカットボタン（ショートカット項目）
１２７  追加編集ボタン
１４０  個別ショートカット画面
１４１〜１４６  ショートカットボタン（ショートカット項目）
１４７  追加編集ボタン
１６０  ショートカットボタン選択画面
１６１〜１６６  選択ボタン
１７０  ショートカット設定画面
１７１、１８１、１８２  機能選択ボタン
３１１  表示面
３１２  検知部
【図１】
2011123824.tif 000003
【図２】
2011123824.tif 000004
【図３】
2011123824.tif 000005
【図４】
2011123824.tif 000006
【図５】
2011123824.tif 000007
【図６】
2011123824.tif 000008
【図７】
2011123824.tif 000009
【図８】
2011123824.tif 000010
【図９】
2011123824.tif 000011
【図１０】
2011123824.tif 000012
【図１１】
2011123824.tif 000013
【図１２】
2011123824.tif 000014
【図１３】
2011123824.tif 000015
【図１４】
2011123824.tif 000016
【図１５】
2011123824.tif 000017